(57)【特許請求の範囲】
【請求項１】
１台以上の空調機を制御する制御装置と、前記制御装置及びユーザの操作する情報端末にネットワークを介して接続され、前記情報端末からの操作内容に基づき、前記空調機に関する処理を実行する管理装置と、を有する空調システムの前記情報端末に画面を表示させる画面表示方法であって、
前記制御装置と前記管理装置との通信の切断を確認する確認ステップと、
前記制御装置と前記管理装置との通信が切断されている場合に、前記空調機に関する処理を実行するためのアプリケーションのダウンロードを促す画面を前記情報端末に表示させる画面表示ステップと、
を有する画面表示方法。
【請求項２】
前記アプリケーションは、前記管理装置を介さずに、前記ネットワークと異なるローカルネットワーク経由で前記制御装置に接続し、前記空調機に関する処理を実行するためのアプリケーションであること
を特徴とする請求項１記載の画面表示方法。
【請求項３】
前記画面表示ステップは、物件内にある前記制御装置のうちの少なくとも一つの前記制御装置との通信が切断されている場合に、前記アプリケーションのダウンロードを促す画面を前記情報端末に表示させること
を特徴とする請求項１又は２記載の画面表示方法。
【請求項４】
前記画面表示ステップは、前記ユーザから前記管理装置との通信が切断されていない物件の選択を受け付けると、前記空調機に関する処理を前記管理装置に実行させる前記操作内容を前記管理装置に送信する画面を前記情報端末に表示させること
を特徴とする請求項１乃至３の何れか一項に記載の画面表示方法。
【請求項５】
前記アプリケーションは、前記制御装置の証明書を用いて、前記ネットワークと異なるローカルネットワーク経由で、前記制御装置と通信すること
を特徴とする請求項１乃至４の何れか一項に記載の画面表示方法。
【請求項６】
前記アプリケーションは、前記制御装置と前記管理装置との通信が切断から復帰した場合に、前記情報端末から前記制御装置への前記空調機の制御指示の送信を行わないこと
を特徴とする請求項１乃至５の何れか一項に記載の画面表示方法。
【請求項７】
１台以上の空調機を制御する制御装置と、前記制御装置及びユーザの操作する情報端末にネットワークを介して接続され、前記情報端末からの操作内容に基づき、前記空調機に関する処理を実行する管理装置と、を有する空調システムの前記情報端末に画面を表示させるためのプログラムであって、
前記情報端末に、
前記制御装置と前記管理装置との通信の切断を確認する確認ステップ、
前記制御装置と前記管理装置との通信が切断されている場合に、前記空調機に関する処理を実行するためのアプリケーションのダウンロードを促す画面を前記情報端末に表示させる画面表示ステップ、
を実行させるためのプログラム。
【請求項８】
１台以上の空調機を制御する制御装置と、前記制御装置及びユーザの操作する情報端末にネットワークを介して接続され、前記情報端末からの操作内容に基づき、前記空調機に関する処理を実行する管理装置と、を有する空調システムであって、
制御部は、
前記制御装置と前記管理装置との通信の切断を確認し、前記制御装置と前記管理装置との通信が切断されている場合に、前記空調機に関する処理を実行するためのアプリケーションのダウンロードを促す画面を前記情報端末に表示させる
空調システム。
【請求項９】
前記アプリケーションは、前記管理装置を介さずに、前記ネットワークと異なるローカルネットワーク経由で前記制御装置に接続し、前記空調機に関する処理を実行するためのアプリケーションであること
を特徴とする請求項８記載の空調システム。
【請求項１０】
前記制御部は、前記ユーザが前記空調機を操作する物件内にある前記制御装置のうちの少なくとも一つの前記制御装置との通信が切断されている場合に、前記アプリケーションのダウンロードを促す画面を前記情報端末に表示させること
を特徴とする請求項８又は９記載の空調システム。
【請求項１１】
前記制御部は、前記ユーザから前記管理装置との通信が切断されていない物件の選択を受け付けると、前記空調機に関する処理を前記管理装置に実行させる前記操作内容を前記管理装置に送信する画面を前記情報端末に表示させること
を特徴とする請求項８乃至１０の何れか一項に記載の空調システム。
【請求項１２】
前記アプリケーションは、前記制御装置の証明書を用いて、前記ネットワークと異なるローカルネットワーク経由で、前記制御装置と通信すること
を特徴とする請求項８乃至１１の何れか一項に記載の空調システム。
【請求項１３】
前記アプリケーションは、前記制御装置と前記管理装置との通信が切断から復帰した場合に、前記情報端末から前記制御装置への前記空調機の制御指示の送信を行わないこと
を特徴とする請求項８乃至１２の何れか一項に記載の空調システム。
【請求項１４】
前記制御装置は、前記制御装置と前記管理装置との通信が切断から復帰した場合に、前記アプリケーションから受信した前記空調機の制御指示を無視すること
を特徴とする請求項８乃至１３の何れか一項に記載の空調システム。
【発明の詳細な説明】
【技術分野】
【０００１】
本開示は、情報端末に画面を表示する画面表示方法、プログラム、及び空調システムに関する。
【背景技術】
【０００２】
従来から、スマートフォンなどの携帯端末を使用して、空気調和機を管理する技術が知られている。従来の空気調和システムでは、ユーザが空気調和機の管理プログラムを携帯端末にダウンロードすることにより、携帯端末による空気調和機の管理が可能となる。
【０００３】
例えば、空気調和機の管理プログラムの携帯端末へのダウンロード率及び利用率を上昇させるため、携帯端末が近付いたとき、表示部に、管理プログラムのダウンロードを促すことを目的とした画面を表示する管理装置が知られている（例えば特許文献１参照）。
【先行技術文献】
【特許文献】
【０００４】
【特許文献１】国際公開第２０１７／１９９２９５号
【発明の概要】
【発明が解決しようとする課題】
【０００５】
管理装置と空調機とがネットワークで接続される構成の空調システムにおいて、携帯端末は管理装置にネットワーク経由で接続し、管理装置を介して空調機を操作できる。しかしながら、上記構成の空調システムは管理装置と空調機との通信が切断されると、管理装置から空調機へ操作内容を送信できず、携帯端末から空調機を操作できないという問題がある。なお、特許文献１は、このような問題についての記載がない。
【０００６】
本開示は、管理装置と空調機との通信が切断されている場合に、携帯端末から空調機を操作可能なアプリケーションのダウンロードを促す画面表示方法、プログラム、及び空調システムを提供することを目的とする。
【課題を解決するための手段】
【０００７】
本開示の画面表示方法は、１台以上の空調機を制御する制御装置と、前記制御装置及びユーザの操作する情報端末にネットワークを介して接続され、前記情報端末からの操作内容に基づき、前記空調機に関する処理を実行する管理装置と、を有する空調システムの前記情報端末に画面を表示させる画面表示方法であって、前記制御装置と前記管理装置との通信の切断を確認する確認ステップと、前記制御装置と前記管理装置との通信が切断されている場合に、前記空調機に関する処理を実行するためのアプリケーションのダウンロードを促す画面を前記情報端末に表示させる画面表示ステップと、を有する。
【０００８】
本開示によれば、制御装置と管理装置との通信が切断されている場合に、空調機に関する処理を実行するためのアプリケーションのダウンロードを促す画面を情報端末に表示させることで、ユーザにアプリケーションのダウンロードを促すことができる。管理装置にアクセスして空調機に関する処理を実行しようとしいるユーザに対して、空調機に関する処理を管理装置を介さずに行うためのアプリケーションのダウンロードを促すことができるためユーザはスムーズに空調機に関する処理を実行するための代替手段を使用することができる。
【０００９】
前記アプリケーションは、前記管理装置を介さずに、前記ネットワークと異なるローカルネットワーク経由で前記制御装置に接続し、前記空調機に関する処理を実行するためのアプリケーションであることを特徴としてもよい。
【００１０】
本開示によれば、管理装置を介さずに、ローカルネットワーク経由で携帯端末から空調機を操作できるアプリケーションのダウンロードを促す画面を情報端末に表示させることができる。
【００１１】
前記画面表示ステップは、物件内にある前記制御装置のうちの少なくとも一つの前記制御装置との通信が切断されている場合に、前記アプリケーションのダウンロードを促す画面を前記情報端末に表示させることを特徴としてもよい。
【００１２】
本開示によれば、ユーザが空調機を操作する物件内にある制御装置のうちの少なくとも一つの制御装置との通信が切断されている場合に、空調機に関する処理を実行するためのアプリケーションのダウンロードを促す画面を情報端末に表示させることができる。
【００１３】
前記画面表示ステップは、前記ユーザから前記管理装置との通信が切断されていない物件の選択を受け付けると、前記空調機に関する処理を前記管理装置に実行させる前記操作内容を前記管理装置に送信する画面を前記情報端末に表示させることを特徴としてもよい。
【００１４】
本開示によれば、ユーザから前記管理装置との通信が切断されていない物件の選択を受け付けると、操作内容を管理装置に送信する画面を情報端末に表示させることができる。
【００１５】
前記アプリケーションは、前記制御装置の証明書を用いて、前記ネットワークと異なるローカルネットワーク経由で、前記制御装置と通信することを特徴としてもよい。
【００１６】
本開示によれば、情報端末で空調機に関する処理を実行するためのアプリケーションのセキュリティを向上させることができる。
【００１７】
前記アプリケーションは、前記制御装置と前記管理装置との通信が切断から復帰した場合に、前記情報端末から前記制御装置への前記空調機の制御指示の送信を行わないことを特徴としてもよい。
【００１８】
本開示によれば、制御装置と管理装置との通信が切断から復帰した場合に、情報端末から制御装置への空調機の制御指示よりも、管理装置から制御装置への空調機の制御指示を優先できる。通信が確立している場合は、ローカルネットワーク経由の指示を許可しないことにより空調機の管理を管理装置からの指示のみで行うことで不特定多数の情報端末から複数の指示がなされるなどの状況を抑制し空調機を管理しやすくなる。
【００１９】
本開示のプログラムは、１台以上の空調機を制御する制御装置と、前記制御装置及びユーザの操作する情報端末にネットワークを介して接続され、前記情報端末からの操作内容に基づき、前記空調機に関する処理を実行する管理装置と、を有する空調システムの前記情報端末に画面を表示させるためのプログラムであって、前記情報端末に、前記制御装置と前記管理装置との通信の切断を確認する確認ステップ、前記制御装置と前記管理装置との通信が切断されている場合に、前記空調機に関する処理を実行するためのアプリケーションのダウンロードを促す画面を前記情報端末に表示させる画面表示ステップ、を実行させる。
【００２０】
本開示によれば、制御装置と管理装置との通信が切断されている場合に、空調機に関する処理を実行するためのアプリケーションのダウンロードを促す画面を情報端末に表示させることで、ユーザにアプリケーションのダウンロードを促すことができる。管理装置にアクセスして空調機に関する処理を実行しようとしいるユーザに対して、空調機に関する処理を管理装置を介さずに行うためのアプリケーションのダウンロードを促すことができるためユーザはスムーズに空調機に関する処理を実行するための代替手段を使用することができる。
【００２１】
本開示の空調システムは、１台以上の空調機を制御する制御装置と、前記制御装置及びユーザの操作する情報端末にネットワークを介して接続され、前記情報端末からの操作内容に基づき、前記空調機に関する処理を実行する管理装置と、を有する空調システムであって、制御部は、前記制御装置と前記管理装置との通信の切断を確認し、前記制御装置と前記管理装置との通信が切断されている場合に、前記空調機に関する処理を実行するためのアプリケーションのダウンロードを促す画面を前記情報端末に表示させる。
【００２２】
本開示によれば、制御装置と管理装置との通信が切断されている場合に、空調機に関する処理を実行するためのアプリケーションのダウンロードを促す画面を情報端末に表示させることで、ユーザにアプリケーションのダウンロードを促すことができる。管理装置にアクセスして空調機に関する処理を実行しようとしいるユーザに対して、空調機に関する処理を管理装置を介さずに行うためのアプリケーションのダウンロードを促すことができるためユーザはスムーズに空調機に関する処理を実行するための代替手段を使用することができる。
【００２３】
前記アプリケーションは、前記管理装置を介さずに、前記ネットワークと異なるローカルネットワーク経由で前記制御装置に接続し、前記空調機に関する処理を実行するためのアプリケーションであることを特徴としてもよい。
【００２４】
本開示によれば、管理装置を介さずに、ローカルネットワーク経由で携帯端末から空調機を操作できるアプリケーションのダウンロードを促す画面を情報端末に表示させることができる。
【００２５】
前記制御部は、物件内にある前記制御装置のうちの少なくとも一つの前記制御装置との通信が切断されている場合に、前記アプリケーションのダウンロードを促す画面を前記情報端末に表示させることを特徴としてもよい。
【００２６】
本開示によれば、ユーザが空調機を操作する物件内にある制御装置のうちの少なくとも一つの制御装置との通信が切断されている場合に、空調機に関する処理を実行するためのアプリケーションのダウンロードを促す画面を情報端末に表示させることができる。
【００２７】
前記制御部は、前記ユーザから前記管理装置との通信が切断されていない物件の選択を受け付けると、前記空調機に関する処理を前記管理装置に実行させる前記操作内容を前記管理装置に送信する画面を前記情報端末に表示させることを特徴としてもよい。
【００２８】
本開示によれば、ユーザから前記管理装置との通信が切断されていない物件の選択を受け付けると、操作内容を管理装置に送信する画面を情報端末に表示させることができる。
【００２９】
前記アプリケーションは、前記制御装置の証明書を用いて、前記ネットワークと異なるローカルネットワーク経由で、前記制御装置と通信することを特徴としてもよい。
【００３０】
本開示によれば、情報端末で空調機に関する処理を実行するためのアプリケーションのセキュリティを向上させることができる。
【００３１】
前記アプリケーションは、前記制御装置と前記管理装置との通信が切断から復帰した場合に、前記情報端末から前記制御装置への前記空調機の制御指示の送信を行わないことを特徴としてもよい。
【００３２】
本開示によれば、制御装置と管理装置との通信が切断から復帰した場合に、情報端末から制御装置への空調機の制御指示よりも、管理装置から制御装置への空調機の制御指示を優先できる。通信が確立している場合は、ローカルネットワーク経由の指示を許可しないことにより空調機の管理を管理装置からの指示のみで行うことで不特定多数の情報端末から複数の指示がなされるなどの状況を抑制し空調機を管理しやすくなる。
【００３３】
前記制御装置は、前記制御装置と前記管理装置との通信が切断から復帰した場合に、前記アプリケーションから受信した前記空調機の制御指示を無視することを特徴としてもよい。
【００３４】
本開示によれば、制御装置と管理装置との通信が切断から復帰した場合に、情報端末から制御装置への空調機の制御指示よりも、管理装置から制御装置への空調機の制御指示を優先できる。通信が確立している場合は、ローカルネットワーク経由の指示を許可しないことにより空調機の管理を管理装置からの指示のみで行うことで不特定多数の情報端末から複数の指示がなされるなどの状況を抑制し空調機を管理しやすくなる。
【図面の簡単な説明】
【００３５】
【図１】本実施形態に係る空調システムの一例の構成図である。
【図２】本実施形態に係るコンピュータの一例のハードウェア構成図である。
【図３】本実施形態に係る管理装置の一例の機能ブロック図である。
【図４】本実施形態に係る情報端末の一例の機能ブロック図である。
【図５】本実施形態に係る制御装置の一例の機能ブロック図である。
【図６】ユーザ情報の一例の構成図である。
【図７】物件情報の一例の構成図である。
【図８】設備情報の一例の構成図である。
【図９】本実施形態に係る空調システムの処理概要の一例の説明図である。
【図１０】本実施形態に係る空調システムの処理手順の一例を示したフローチャートである。
【図１１】本実施形態に係るクラウドサービス画面の一例のイメージ図である。
【図１２】本実施形態に係るクラウドサービス画面の一例のイメージ図である。
【図１３】本実施形態に係るローカルアプリケーションダウンロードリンク画面の一例のイメージ図である。
【図１４】本実施形態に係るローカルアプリケーションの処理の一例のフローチャートである。
【図１５】本実施形態に係るログイン画面の一例のイメージ図である。
【図１６】本実施形態に係るローカルサービス画面の一例のイメージ図である。
【発明を実施するための形態】
【００３６】
次に、本発明の実施形態について詳細に説明する。
［第１の実施形態］
＜システム構成＞
図１は、本実施形態に係る空調システムの一例の構成図である。空調システム１は管理装置１０、ダウンロード制御装置１２、ルータ１４、制御装置１６、空調機１８、及び情報端末２０を有している。
【００３７】
管理装置１０及びダウンロード制御装置１２はインターネットなどのネットワーク３０に接続されており、クラウドサービスを提供する。なお、管理装置１０及びダウンロード制御装置１２の名称は一例であって、他の名称であってもよい。
【００３８】
ルータ１４、制御装置１６、及び空調機１８はビルなどの物件に設けられている。情報端末２０は物件に設けられていてもよいし、ユーザが携帯していてもよい。ルータ１４はネットワーク３０に接続されている。制御装置１６はルータ１４を介してネットワーク３０に接続されている。また、制御装置１６は制御対象である１台以上の空調機１８と通信可能に接続されている。
【００３９】
情報端末２０は、ルータ１４を介してネットワーク３０に接続されている。情報端末２０は、３Ｇ／４Ｇ／５Ｇなどの無線通信システムを介してネットワーク３０に接続されていてもよい。また、情報端末２０はルータ１４により構築されるＬＡＮ（Local Area Network）などのローカルネットワークを介して制御装置１６と通信可能に接続される。
【００４０】
なお、図１では一番右の物件のルータ１４、制御装置１６、空調機１８、及び情報端末２０を構成例として図示したが、残りの物件についてもルータ１４、制御装置１６、空調機１８、及び情報端末２０が同様に設けられている。また、図１では一つの物件に３台の空調機１８が設けられている例を示したが３台以外であってもよい。
【００４１】
空調機１８は物件内の部屋等の空気の温度、湿度などを調整する。空調機１８が空気の温度、湿度などを調整する部屋等は、空調対象空間と呼ばれることもある。空調機１８は例えば室内機と室外機とが別々に設けられた分離型の空調機である。また、空調機１８は例えば室内機の機能と室外機の機能とを組み合わせた一体型の空調機であってもよい。
【００４２】
情報端末２０は、携帯電話、スマートフォン、タブレット端末、ＰＣなどのユーザが操作できる情報処理端末である。情報端末２０はＷｅｂブラウザが搭載されている。情報端末２０は管理装置１０と制御装置１６との通信が接続されている場合に、空調機１８に関する処理を実行するためのＷｅｂアプリケーションをダウンロード管理装置１２からダウンロードして実行することが可能である。Ｗｅｂアプリケーションは管理装置１０に接続し、空調機１８に関する処理を管理装置１０に実行させる。
【００４３】
情報端末２０は管理装置１０と制御装置１６との通信が切断されている場合に、空調機１８に関する処理を実行するためのローカルアプリケーションをダウンロード制御装置１２からダウンロードして実行することが可能である。ローカルアプリケーションは管理装置１０を介さずに、ローカルネットワーク経由で制御装置１６に接続し、空調機１８に関する処理を実行する。ローカルアプリケーションをダウンロードしてインストールした情報端末２０により、ユーザは管理装置１０と制御装置１６との通信が切断されている場合であっても、空調機１８に関する処理を実行できる。
【００４４】
なお、ローカルアプリケーションにより実現される機能はＷｅｂアプリケーションにより実現される機能と同一でなくてもよく、Ｗｅｂアプリケーションにより実現される機能の一部であってもよい。ローカルアプリケーションにより実現される機能及びＷｅｂアプリケーションにより実現される機能の詳細は後述する。
【００４５】
制御装置１６は、管理装置１０又は情報端末２０から受信した制御対象の空調機１８の制御指示に従って空調機１８を制御する。管理装置１０は情報端末２０から受信した操作内容に基づき、後述するような空調機に関する処理を実行する。ダウンロード制御装置１２はローカルアプリケーションを提供するクラウドサービスの一例であって、例えばコンテンツ配信サービスを提供する。
【００４６】
図１の空調システム１のクラウドサービスは一例であって、１台以上のコンピュータにより実現される情報処理システムであってもよい。また、図１の空調システム１は一例であって、用途や目的に応じて様々なシステム構成例があることは言うまでもない。例えば空調機１８は制御対象の設備機器の一例であって、空調機１８以外の設備機器であってもよい。
【００４７】
＜ハードウェア構成＞
図１の管理装置１０、ダウンロード制御装置１２、制御装置１６、及び情報端末２０は例えば図２に示すハードウェア構成のコンピュータ５００により実現する。なお、ルータ１４及び空調機１８のハードウェア構成については省略する。
【００４８】
図２は、本実施形態に係るコンピュータの一例のハードウェア構成図である。図２のコンピュータ５００は、入力装置５０１、表示装置５０２、外部Ｉ／Ｆ５０３、ＲＡＭ５０４、ＲＯＭ５０５、ＣＰＵ５０６、通信Ｉ／Ｆ５０７、及びＨＤＤ５０８などを備えており、それぞれがバスＢで相互に接続されている。なお、入力装置５０１及び表示装置５０２は必要なときに接続して利用する形態であってもよい。
【００４９】
入力装置５０１は、ユーザが各種信号を入力するのに用いるタッチパネル、操作キーやボタン、キーボードやマウスなどである。表示装置５０２は、画面を表示する液晶や有機ＥＬなどのディスプレイ、音声や音楽などの音データを出力するスピーカ等で構成されている。通信Ｉ／Ｆ５０７は、コンピュータ５００をネットワーク３０などのネットワークに接続するインターフェースである。これによりコンピュータ５００は、通信Ｉ／Ｆ５０７を介してデータ通信を行うことができる。
【００５０】
また、ＨＤＤ５０８は、プログラムやデータを格納している不揮発性の記憶装置の一例である。格納されるプログラムやデータには、コンピュータ５００全体を制御する基本ソフトウェアであるＯＳ、及びＯＳ上において各種機能を提供するアプリケーションなどがある。
【００５１】
なお、コンピュータ５００は、ＨＤＤ５０８に替えて、記憶媒体としてフラッシュメモリを用いるドライブ装置（例えばソリッドステートドライブ：ＳＳＤ）を利用するものであってもよい。
【００５２】
外部Ｉ／Ｆ５０３は、外部装置とのインターフェースである。外部装置には、記録媒体５０３ａなどがある。これにより、コンピュータ５００は外部Ｉ／Ｆ５０３を介して記録媒体５０３ａの読み取り及び／又は書き込みを行うことができる。記録媒体５０３ａにはフレキシブルディスク、ＣＤ、ＤＶＤ、ＳＤメモリカード、ＵＳＢメモリなどがある。
【００５３】
ＲＯＭ５０５は、電源を切ってもプログラムやデータを保持することができる不揮発性の半導体メモリ（記憶装置）の一例である。ＲＯＭ５０５にはコンピュータ５００の起動時に実行されるＢＩＯＳ、ＯＳ設定、及びネットワーク設定などのプログラムやデータが格納されている。ＲＡＭ５０４はプログラムやデータを一時保持する揮発性の半導体メモリ（記憶装置）の一例である。
【００５４】
ＣＰＵ５０６は、ＲＯＭ５０５やＨＤＤ５０８などの記憶装置からプログラムやデータをＲＡＭ５０４上に読み出し、処理を実行することで、コンピュータ５００全体の制御や機能を実現する演算装置であって、特許請求の範囲の制御部に相当する。
【００５５】
本実施形態に係る管理装置１０、ダウンロード制御装置１２、制御装置１６、及び情報端末２０のＣＰＵ５０６に相当する制御部は後述するような各種処理を実現できる。
【００５６】
＜ソフトウェア構成＞
《機能ブロック》
本実施形態に係る空調システム１の管理装置１０、制御装置１６、及び情報端末２０の機能ブロックについて説明する。図３は本実施形態に係る管理装置の一例の機能ブロック図である。管理装置１０はプログラムを実行することで、通信部５０、ログイン制御部５２、画面表示制御部５４、通信切断確認部５６、操作内容受付部５８、操作内容実行制御部６０、ユーザ情報記憶部６２、物件情報記憶部６４、設備情報記憶部６６、及びローカルアプリケーションダウンロードリンク記憶部６８を実現する。
【００５７】
なお、図３の機能ブロック図は本実施形態に係る空調システム１の説明に不要な機能について適宜省略している。
【００５８】
通信部５０はネットワーク３０を介して通信する。ログイン制御部５２はユーザ情報を利用して情報端末２０からのログイン処理を制御する。ユーザ情報はユーザ情報記憶部６２に記憶されている。なお、ユーザ情報の詳細は後述する。
【００５９】
画面表示制御部５４は、情報端末２０に表示させるための各種画面の画像データを生成する。情報端末２０に表示させる各種画面には、後述のログイン画面、クラウドサービス画面、及びローカルアプリケーションダウンロードリンク画面などが含まれる。画面表示制御部５４は、ユーザ情報、物件情報、設備情報、及びローカルアプリケーションダウンロードリンク情報を利用して各種画面の画像データの生成を制御する。
【００６０】
なお、本実施形態では画面表示制御部５４が管理装置１０で実現される例を一例で示したが、例えばＳＰＡ（Single Page Application）方式を利用する場合、管理装置１０の画面表示制御部５４の機能を、情報端末２０の機能として実現してもよい。ＳＰＡ方式を利用することで、情報端末２０は各種画面の画像データを生成し、画面表示制御を行うことができる。
【００６１】
物件情報は物件情報記憶部６４に記憶されている。設備情報は設備情報記憶部６６に記憶されている。また、ローカルアプリケーションダウンロードリンク情報はローカルアプリケーションダウンロードリンク記憶部６８に記憶されている。なお、物件情報、設備情報、及びローカルアプリケーションダウンロードリンク情報の詳細は後述する。
【００６２】
通信切断確認部５６は、管理装置１０の通信部５０と物件に設けられた制御装置１６との通信の接続／切断を確認する。管理装置１０の通信部５０と物件に設けられた制御装置１６との通信の接続／切断の確認は、例えば所定時間ごとに、管理装置１０の通信部５０から物件に設けられた制御装置１６の通信アドレスにアクセスすることで行う。
【００６３】
操作内容受付部５８は情報端末２０から空調機１８に関する処理を実行するための操作内容を受け付ける。操作内容実行制御部６０は情報端末２０から受け付けた操作内容に基づき、空調機１８に関する処理を実行する。なお、図３の操作内容実行制御部６０は空調機１８に関する処理の一例として、電力抑制制御機能及び電力抑制制御解除機能を有している。
【００６４】
電力抑制制御機能は、ユーザの指示により空調機１８の運転を停止する機能である。電力抑制制御解除機能は運転が停止されている空調機１８の電力抑制制御状態を解除する機能である。なお、空調機１８に関する処理には、管理装置１０に記憶されている物件情報、設備情報などを情報端末２０に表示させる機能も含まれる。
【００６５】
図４は、本実施形態に係る情報端末の一例の機能ブロック図である。情報端末２０はＷｅｂブラウザ、Ｗｅｂアプリケーション、又はローカルアプリケーションなどのプログラムを実行することにより、通信部８０、ログイン要求部８２、Ｗｅｂアプリケーション実行制御部８４、ローカルアプリケーションダウンロード処理部８６、及びローカルアプリケーション実行制御部８８を実現する。
【００６６】
なお、図４の機能ブロック図は本実施形態に係る空調システム１の説明に不要な機能について適宜省略している。
【００６７】
通信部８０は、ルータ１４を介して通信する。また、通信部８０は３Ｇ／４Ｇ／５Ｇなどの無線通信システムを介して通信する。ログイン要求部８２は、ログイン画面に対するユーザの操作内容に基づき、管理装置１０にログイン要求を行い、管理装置１０からログイン結果を受信する。
【００６８】
Ｗｅｂアプリケーション実行制御部８４は、ダウンロードしたＷｅｂアプリケーションの実行を制御する。ローカルアプリケーションダウンロード処理部８６は後述のローカルアプリケーションダウンロードリンク画面に対するユーザの操作内容に基づいて、ダウンロード制御装置１２からローカルアプリケーションをダウンロードする。
【００６９】
ローカルアプリケーション実行制御部８８は、ユーザから受け付けた操作内容に基づいて空調機１８に関する処理を実行する。図４のローカルアプリケーション実行制御部８８は空調機１８に関する処理の一例として、電力抑制制御解除機能を有している。
【００７０】
このように、本実施形態に係る空調システム１は、ローカルアプリケーションにより実現される電力抑制制御解除機能が、Ｗｅｂアプリケーションにより実現される電力抑制制御機能及び電力抑制制御解除機能の一部となっている。
【００７１】
図５は、本実施形態に係る制御装置の一例の機能ブロック図である。制御装置１６はプログラムを実行することで、通信部１００、ログイン制御部１０２、操作内容受付部１０４、操作内容実行制御部１０６、パスワード記憶部１０８、及び空調機情報記憶部１１０を実現する。
【００７２】
なお、図５の機能ブロック図は本実施形態に係る空調システム１の説明に不要な機能について適宜省略している。
【００７３】
通信部１００はルータ１４を介して通信する。また、通信部１００は空調機１８と通信を行う。ログイン制御部１０２は管理装置１０との通信が切断している場合、パスワード情報を利用して情報端末２０からのログイン処理を制御する。なお、パスワード情報はパスワード記憶部１０８に記憶されている。パスワード記憶部１０８に記憶されているパスワード情報はユーザが制御装置１６へのログインに利用する制御装置ＩＤ、パスワードなどの情報である。
【００７４】
操作内容受付部１０４は管理装置１０との通信が接続している場合、管理装置１０から空調機１８に関する処理を実行するための操作内容を受け付ける。また、操作内容受付部１０４は管理装置１０との通信が切断している場合、情報端末２０から空調機１８に関する処理を実行するための操作内容を受け付ける。
【００７５】
操作内容実行制御部１０６は管理装置１０又は情報端末２０から受け付けた操作内容に基づき、空調機情報を利用して空調機１８に関する処理を実行する。空調機情報は空調機情報記憶部１１０に記憶されている。空調機情報記憶部１１０に記憶されている空調機情報は例えば空調機１８の電力抑制制御状態情報である。
【００７６】
管理装置１０のユーザ情報記憶部６２に記憶されているユーザ情報は例えば図６のように構成される。図６はユーザ情報の一例の構成図である。図６に示すようにユーザ情報はユーザＩＤ、パスワード、及び物件ＩＤを項目として有する。
【００７７】
ユーザＩＤはユーザの識別情報の一例である。パスワードはユーザの認証情報の一例である。物件ＩＤはユーザと対応付いた物件の識別情報の一例である。図６のユーザ情報によれば、ユーザのログイン処理が可能となる。また、図６のユーザ情報によれば、ログインに成功したユーザと対応付いた物件を特定できる。
【００７８】
管理装置１０の物件情報記憶部６４に記憶されている物件情報は例えば図７のように構成される。図７は物件情報の一例の構成図である。図７に示す物件情報は物件ＩＤ、制御装置ＩＤ、通信アドレス、及び通信状態情報を項目として有する。
【００７９】
物件ＩＤは物件の識別情報の一例である。制御装置ＩＤは物件に設けられた制御装置１６の識別情報の一例である。通信アドレスは制御装置ＩＤにより特定される制御装置１６のＩＰアドレスなどの通信に必要な情報の一例である。通信状態情報は管理装置１０との通信の接続／切断の状態を示す情報の一例である。
【００８０】
図７の物件情報によれば、物件に設けられた制御装置１６の通信アドレスの特定が可能となる。また、図７の物件情報によれば、制御装置ＩＤにより特定される制御装置１６との通信の接続／切断の状態を確認できる。
【００８１】
管理装置１０の設備情報記憶部６６に記憶されている設備情報は例えば図８のように構成される。図８は設備情報の一例の構成図である。図８に示す設備情報は制御装置ＩＤ、空調機ＩＤ、及び電力抑制制御状態情報を項目として有する。
【００８２】
制御装置ＩＤは制御装置１６の識別情報の一例である。空調機ＩＤは物件に設けられた空調機１８の識別情報の一例である。電力抑制制御状態情報は、空調機ＩＤにより特定される空調機１８の電力抑制制御中であるか否かを示す情報である。
【００８３】
図８の設備情報によれば、物件に設けられた空調機１８であって、制御装置ＩＤにより特定される制御装置１６の制御対象の空調機１８を特定できる。また、図８の設備情報によれば、空調機ＩＤにより特定される空調機１８が電力抑制制御中であるか否かを特定できる。
【００８４】
＜処理＞
図９は本実施形態に係る空調システムの処理概要の一例の説明図である。本実施形態に係る空調システム１は管理装置１０と制御装置１６との通信状態によって、情報端末２０から空調機１８に関する処理を実行する方法が異なる。
【００８５】
図９（Ａ）は管理装置１０と制御装置１６との通信状態が接続である場合の情報端末２０から空調機１８に関する処理を実行する方法を示している。図９（Ｂ）は管理装置１０と制御装置１６との通信状態が切断である場合の情報端末２０から空調機１８に関する処理を実行する方法を示している。
【００８６】
図９（Ａ）に示すように、情報端末２０は管理装置１０と制御装置１６との通信状態が接続である場合、Ｗｅｂアプリケーションを実行することで、管理装置１０及び制御装置１６経由で空調機１８を操作できる。しかし、図９（Ａ）の方法では管理装置１０と制御装置１６との通信状態が何らかの理由で切断された場合に、情報端末２０から空調機１８を操作できなくなる。
【００８７】
本実施形態に係る空調システム１では、管理装置１０と制御装置１６との通信状態が何らかの理由で切断された場合、図９（Ｂ）に示すように、管理装置１０を介さず、ローカルネットワーク経由で制御装置１６に接続し、空調機１８を操作できるようにする。
【００８８】
このため、本実施形態に係る空調システム１では、管理装置１０と制御装置１６との通信状態が何らかの理由で切断された場合、ローカルアプリケーションのダウンロードを促す画面を情報端末２０に表示する。ユーザは、情報端末２０に表示されたローカルアプリケーションのダウンロードを促す画面を確認し、情報端末２０を操作して、ローカルアプリケーションを情報端末２０にダウンロードさせることができる。
【００８９】
ローカルアプリケーションは管理装置１０を介さずに、ローカルネットワーク経由で制御装置１６に接続し、空調機１８に関する処理を可能とするアプリケーションである。したがって、ローカルアプリケーションをダウンロードしてインストールした情報端末２０は管理装置１０と制御装置１６との通信が切断されている通信状態であっても、空調機１８を操作できる。
【００９０】
図１０は、本実施形態に係る空調システムの処理手順の一例を示したフローチャートである。ステップＳ１０において、ユーザの操作に基づき、情報端末２０は管理装置１０が提供するＷｅｂアプリケーションのＵＲＬにアクセスする。
【００９１】
ステップＳ１２において、管理装置１０は情報端末２０にログイン画面を表示させることでユーザにユーザＩＤ及びパスワードを入力させる。管理装置１０はユーザにより入力されたユーザＩＤ及びパスワードとユーザ情報記憶部６２に記憶されているユーザ情報とを照合することでログイン処理を行う。
【００９２】
ステップＳ１４において管理装置１０はログイン成功か否かを判定する。ログイン成功と判定するとステップＳ１６に進み、管理装置１０は例えば図１１に示すクラウドサービス画面１０００を情報端末２０に表示させ、クラウドサービス画面１０００からユーザによる操作を受け付ける。ログイン成功でなければ管理装置１０は図１０に示す処理を終了する。
【００９３】
図１１は本実施形態に係るクラウドサービス画面の一例のイメージ図である。図１１のクラウドサービス画面１０００は情報端末２０のユーザから空調機１８に関する処理を実行するための操作内容を受け付ける画面の一例である。図１１のクラウドサービス画面１０００は空調機１８に関する処理の一例として「モニタリング＆コントロール」「エネルギーマネージメント」及び「複数物件マネージメント」を実行するための操作内容を受け付ける。
【００９４】
また、図１１のクラウドサービス画面１０００は情報端末２０のユーザから空調機１８に関する処理を実行する物件及び制御装置１６の選択を受け付ける。クラウドサービス画面１０００において情報端末２０のユーザが選択できる物件及び制御装置１６は、ログインに成功したユーザと対応付いた物件、及び物件に設けられた制御装置１６である。
【００９５】
図７の物件情報を利用することで、管理装置１０はユーザが選択した物件内にある制御装置１６との通信の接続／切断の状態を確認できる。なお、管理装置１０はクラウドサービス画面１０００で物件の選択を受け付けたときに、その選択された物件内に設けられた制御装置１６との通信の接続／切断の判断を、制御装置１６の通信アドレスにアクセスすることで行うようにしてもよい。
ステップＳ１８において管理装置１０はユーザが選択した制御装置１６との通信状態が切断か否かを判定する。ユーザが選択した制御装置１６との通信状態が切断でないと判定するとステップＳ２０に進み、管理装置１０は情報端末２０から受け付けた操作内容に応じて、空調機１８に関する処理を実行する。
【００９６】
例えば管理装置１０は「モニタリング＆コントロール＞設備リスト」を選択する操作内容を情報端末２０から受け付けることで、図１２のようなクラウドサービス画面１０００を情報端末２０に表示させる。図１２は本実施形態に係るクラウドサービス画面の一例のイメージ図である。図１２のクラウドサービス画面１０００では、情報端末２０のユーザが選択した制御装置１６の制御対象である４台の空調機１８の情報が表示されている。
【００９７】
一方、ステップＳ１８において、ユーザが選択した制御装置１６との通信状態が切断であると判定するとステップＳ２２に進み、管理装置１０は例えば図１３に示すローカルアプリケーションダウンロードリンク画面１１００を表示する。図１３は本実施形態に係るローカルアプリケーションダウンロードリンク画面の一例のイメージ図である。
【００９８】
図１３のローカルアプリケーションダウンロードリンク画面１１００はローカルアプリケーションのダウンロードを促す画面の一例である。図１３のローカルアプリケーションダウンロードリンク画面１１００では、ローカルアプリケーションをダウンロードするコンテンツ配信サービスを２つのコンテンツ配信サービス（コンテンツ配信サービスＡ及びＢ）からユーザが選択する例を示している。例えばユーザは情報端末２０のＯＳに対応したコンテンツ配信サービスを選択し、ローカルアプリケーションをダウンロードする。
【００９９】
ユーザが図１３のローカルアプリケーションダウンロードリンク画面１１００からコンテンツ配信サービスを選択すると、管理装置１０はステップＳ２４に進み、情報端末２０をダウンロード制御装置１２にアクセスさせる。ダウンロード制御装置１２は、ローカルアプリケーションのダウンロード、インストール画面を情報端末２０に表示させる。
【０１００】
ユーザはローカルアプリケーションのダウンロード、インストール画面に対し、ローカルアプリケーションのダウンロード、インストールを実行させるための操作を行う。情報端末２０はステップＳ２６に進み、ユーザの操作内容に基づいて、ダウンロード制御装置１２からローカルアプリケーションをダウンロードしてインストールする。
【０１０１】
なお、図１０のフローチャートでは選択した制御装置１６と管理装置１０との通信が切断されている場合に、ローカルアプリケーションのダウンロードを促す画面を表示する例を示した。例えばローカルアプリケーションのダウンロードを促す画面の表示は、選択した物件内に複数の制御装置１６が設けられており、少なくとも一つの制御装置１６と管理装置１０との通信が切断されている場合に、行うようにしてもよい。
【０１０２】
図１４は、本実施形態に係るローカルアプリケーションの処理の一例のフローチャートである。ステップＳ５０において、ユーザの操作に基づき、情報端末２０はローカルアプリケーションを実行する。ローカルアプリケーションが実行された情報端末２０はローカルネットワーク経由で制御装置１６にアクセスする。
【０１０３】
ステップＳ５２において、制御装置１６は情報端末２０に例えば図１５のログイン画面１２００を表示させる。図１５は、本実施形態に係るログイン画面の一例のイメージ図である。図１５のログイン画面１２００は制御装置ＩＤ及びパスワードをユーザに入力させる画面例である。なお、制御装置ＩＤはアクセスした制御装置１６の制御装置ＩＤが自動で入力されてもよいし、複数の制御装置ＩＤからユーザに選択させてもよい。制御装置１６はユーザが入力した制御装置ＩＤ及びパスワードとパスワード記憶部１０８に記憶されているパスワード情報とを照合することでログイン処理を行う。
【０１０４】
なお、ステップＳ５２のログイン処理は、例えば制御装置１６の証明書をローカルアプリケーションに記録しておくことで、その制御装置１６の証明書をログイン処理に用いてセキュリティを向上させてもよい。
【０１０５】
ステップＳ５４において制御装置１６はログイン成功か否かを判定する。ログイン成功と判定するとステップＳ５６に進み、制御装置１６は例えば図１６に示すローカルサービス画面１３００を情報端末２０に表示させ、ローカルサービス画面１３００からユーザによる操作を受け付ける。ログイン成功でなければ制御装置１６は図１４に示す処理を終了する。
【０１０６】
図１６は本実施形態に係るローカルサービス画面の一例のイメージ図である。図１６のローカルサービス画面１３００では、ローカルアプリケーションが実行された情報端末２０からアクセスされた制御装置１６の制御対象である４台の空調機１８の情報が表示されている。ステップＳ５８に進み、制御装置１６は情報端末２０のユーザから受け付けた操作内容に応じて、空調機１８に関する処理を実行できる。
【０１０７】
ステップＳ６０において、制御装置１６は管理装置１０との通信が復帰したか否かを判定する。管理装置１０との通信が復帰していればステップＳ６２に進み、制御装置１６は以降のローカルアプリケーションからの操作内容に応じた空調機１８に関する処理を中止する。
【０１０８】
ステップＳ６２の処理は、管理装置１０と制御装置１６との通信が復帰した後、例えば図９（Ａ）に示した管理装置１０及び制御装置１６経由で空調機１８を操作する方法に戻すための処理である。したがって、ステップＳ６２の処理は例えば情報端末２０からの操作内容の送信を行わないようにすることで対応してもよいし、情報端末２０から受け付けた操作内容を制御装置１６が無視するようにすることで対応してもよい。
【０１０９】
本実施形態に係る空調システム１によれば、管理装置１０と制御装置１６との通信の切断により管理装置１０からの空調機１８の操作ができない場合に、ローカルネットワーク経由で空調機１８を操作できるローカルアプリケーションのダウンロードをユーザに促すことができる。
【０１１０】
以上、実施形態を説明したが、特許請求の範囲の趣旨及び範囲から逸脱することなく、形態や詳細の多様な変更が可能なことが理解されるであろう。
【符号の説明】
【０１１１】
１    空調システム
１０    管理装置
１２    ダウンロード制御装置
１４    ルータ
１６    制御装置
１８    空調機
２０    情報端末
３０    ネットワーク
５０    通信部
５２    ログイン制御部
５４    画面表示制御部
５６    通信切断確認部
５８    操作内容受付部
６０    操作内容実行制御部
６２    ユーザ情報記憶部
６４    物件情報記憶部
６６    設備情報記憶部
６８    ローカルアプリケーションダウンロードリンク記憶部
８０    通信部
８２    ログイン要求部
８４    Ｗｅｂアプリケーション実行制御部
８６    ローカルアプリケーションダウンロード処理部
８８    ローカルアプリケーション実行制御部
１００    通信部
１０２    ログイン制御部
１０４    操作内容受付部
１０６    操作内容実行制御部
１０８    パスワード記憶部
１１０    空調機情報記憶部
１０００    クラウドサービス画面
１１００    ローカルアプリケーションダウンロードリンク画面
１２００    ログイン画面
１３００    ローカルサービス画面
【図１】
0006915676.tif 000002
【図２】
0006915676.tif 000003
【図３】
0006915676.tif 000004
【図４】
0006915676.tif 000005
【図５】
0006915676.tif 000006
【図６】
0006915676.tif 000007
【図７】
0006915676.tif 000008
【図８】
0006915676.tif 000009
【図９】
0006915676.tif 000010
【図１０】
0006915676.tif 000011
【図１１】
0006915676.tif 000012
【図１２】
0006915676.tif 000013
【図１３】
0006915676.tif 000014
【図１４】
0006915676.tif 000015
【図１５】
0006915676.tif 000016
【図１６】
0006915676.tif 000017